(57)【要約】【課題】【解決手段】立体的なレリーフ像を形成する発明による像形成用カッターは、基部とブレードとを含む。ブレードは、デザイン化した像と同一の形状に製造され、基部上に配置される。ブレードの内側には、像のデザインに従った複数の突き出す要素又はへこんだ要素が存在する。カッターは、さらに基部と正確に結合するようになされた相手側型を含む。相手方型の表面には、基部の突き出す要素又はへこんだ要素に相応するへこんだ要素又は突き出す要素が設けられている。この像形成用カッターを採用することにより、レリーフと同様の、立体的で生き生きとし且つ強く印象的な三次元的像が形成される。
2008517781.tif 000002
【特許請求の範囲】
【請求項１】
立体レリーフ像を形成するための像形成用カッターにおいて、基部とブレードとを含み、前記ブレードは前記基部上に配置されるようになされており、且つ、デザインされた所定の像としての形状に製造されており、前記ブレードの内側には、像のデザインに従った複数の突き出す要素又はへこんだ要素が存在しており、
さらに、前記基部と結合し得る相手方型を含み、前記相手方型の表面には、前記突き出す要素又はへこんだ要素に相応するへこんだ要素又は突き出す要素が設けられている、立体レリーフ像を形成するための像形成用カッター。
【請求項２】
請求項１に記載の、立体レリーフ像を形成するための像形成用カッターにおいて、前記突き出す要素又はへこんだ要素と前記基部とは、一体化した構造体として互いに接続されている、立体レリーフ像を形成するための像形成用カッター。
【請求項３】
請求項１に記載の、立体レリーフ像を形成するための像形成用カッターにおいて、前記突き出す要素又はへこんだ要素と前記基部とは、接着、押し込み嵌め又は溶接によって互いに接合することができる２つの別個の部品である、立体レリーフ像を形成するための像形成用カッター。
【請求項４】
請求項１に記載の、立体レリーフ像を形成するための像形成用カッターにおいて、前記相応するへこんだ要素又は突き出す要素と前記相手方型とは、接着、押し込み嵌め又は溶接によって互いに接合することができる、２つの別個の部品である、立体レリーフ像を形成するための像形成用カッター。
【請求項５】
請求項１に記載の、立体レリーフ像を形成するための像形成用カッターにおいて、前記相応するへこんだ要素又は突き出す要素と前記相手方型とは、一体化した構造体として互いに接続されている、立体レリーフ像を形成するための像形成用カッター。
【請求項６】
請求項１に記載の、立体レリーフ像を形成するための像形成用カッターにおいて、前記相手方型の回りにて、その寸法が前記基部に適合するようになされた固定用境界線手段が存在する、立体レリーフ像を形成するための像形成用カッター。
【請求項７】
請求項１に記載の、立体レリーフ像を形成するための像形成用カッターにおいて、前記基部及び前記相手方型は、平面状又は湾曲状であるかを問わず同一表面の輪郭外形を有している、立体レリーフ像を形成するための像形成用カッター。
【発明の詳細な説明】
【技術分野】
【０００１】
本発明は、像のカッティング装置、より具体的には、像形成用カッターに関する。
【背景技術】
【０００２】
従来、紙をカットして作るアートワークは、多くの人、特に初期の教育段階の子供に人気がある、多様であり且つ極めて娯楽性のあるアートである。中国以外で、多くの国は、その子供の学習のためこの型式のアートを採用している。例えば、米国において、通常、紙シート、プラスチック、ゴム又は同様の材料を使用して文字、漫画、動物又は人間の形となるようにカットし、赤坊の認識力及び判断力を学習させる。
【発明の開示】
【発明が解決しようとする課題】
【０００３】
しかし、従来の手作業による像の形成は、常に効率が悪く、また、均一さの程度が劣り、大規模に製造することはできない。かかる欠点を解消するため、最初に像形成用カッターを形成すべく、薄く且つ鋭利なブレードを曲げてある像の形状にし、そのブレードを板紙に固定することにより、像を大量生産する新規な方法が開発された。これらのカッター工具を使用して紙又は何らかのそれぞれのシート材料を反復的にカットし、同一の像を形成する。異なる像の製品を製造しようとするならば、中国実用新案０１２０９６０８．３号に開示されているように別のカッターに交換すればよい。この型式の像形成用カッターは、大量の製品を得ることができるが、好ましくない欠点が内在する。すなわち、紙の像は、三次元的ではなくて平坦な像に過ぎず、本物の感じすなわち奥行き感がない。
【０００４】
このため、本発明の目的は、立体的で生き生きとし且つ極めて印象的な三次元的像を形成するため、現在の技術に基づいてかかる短所を解決することができる、改良された簡素で且つ合理的な像形成用カッターを提供することである。
【課題を解決するための手段】
【０００５】
この目的は、次の技術によって実現される、すなわち、この像形成用カッターは、基部とブレードとを含み、ブレードは基部上に配置され、且つ、デザインされた所定の像としての形状に製造されている。ブレードの内側には、像のデザインに従った複数の突き出す要素又はへこんだ要素が存在している。また、カッターは、基部と結合し得る相手方型をさらに含む。相手方型の表面には、基部の突き出す要素又はへこんだ用途に相応するへこんだ要素又は突き出す要素が設けられている。
【０００６】
上記の突き出す要素又はへこんだ要素と基部とは、キャスティング及び／又はプレス技術によって一体化した構造体として互いに接続されたものでもよい。これらは、また、別個に製造し且つ接着、押し込み嵌め又は溶接によって互いに接合する２つの別個の部品とすることもできる。基部の面は、ブレードの硬度及び清浄さを向上させ、カッターの有効寿命を引き延ばすことができるよう、クロムのようなものにて被覆することができる。
【０００７】
上記の相応するへこんだ要素又は突き出す要素と上記相手方型とは、キャスティング及びプレス技術（金属材料の場合）又は押出し成形技術（プラスチック材料の場合）によって一体化した構造体として互いに接続されたものとしてもよい。しかし、これらはまた、別個に製造し且つ接着、押し込み嵌め又は溶接によって互いに接合することもできる。
【０００８】
上記の相手方型の回りにて、その寸法が基部に適合し、従って基部を正確な位置に拘束する位置決め手段となる固定用境界線手段が存在し、このため、基部とその相手方型との間の精密な結合を保証すると同時に、上記２つの部品の結合後の互いに相反する動き又は相対的な動きに起因するであろう基部ブレードの損傷を回避することができる。
【０００９】
上記基部及び相手方型の表面輪郭外形は、平面状又は湾曲状のものとすることができる。
本発明の実施の形態：最初に、紙（又はその他のシート材料）ピースを平坦面上に配置する。カッターブレードをその上に配置し、ブレードを紙に当てがう。強く押す。すると、ブレードの形状に像の輪郭が切り抜かれる（このとき、紙の像はブレードに保持されたままである）。次に、相手方型を、基部のブレードの表面との間に紙の像がある状態にて、基部のブレードの表面に結合させる。強く押し、最後に、相手方型を基部から分離する。ブレードの内側の紙の像は、突き出す要素又はへこんだ要素によってプレスされ、レリーフ状の像となる。基本的に、紙は、その他の種類のシート材料にて置換してもよく、その結果は同一である。
【００１０】
従来の技術と比較して、本発明は、次の有利な効果及び利益を有する。この像形成用カッターにより、レリーフと同様の立体的で生き生きとし且つ極めて印象的な三次元的像を形成することができ、より優れた装飾効果となり、子供がその認識及び判断能力を向上させるための一層視覚的な効果及び遥かに簡易な手段を提供する。
【発明を実施するための最良の形態】
【００１１】
以下に、一例として図面に基づいて本発明について詳細に説明する。しかし、本発明の実施の形態はこの例にのみ限定されるものではない。
実施例１：
図１ないし図２には、本発明の基本的構造が示されている。図１から像形成用カッターは、基部１と、ブレード２とから成ることが理解できる。ブレード２は、基部１上に配置され、ブレード２は、猿の形状に形成されている。猿の像をした基部１のブレード２の表面にて、猿の目、鼻又は口等を表現する複数の突き出す要素又はへこんだ要素４が存在する。基部１に対して、相手方型５が提供され、その型の構造は図２に示されている。図２から、相手方型５の表面６に複数の相応するへこんだ要素又は突き出す要素７が存在し、型５は、基部１と正確に一致適合することが理解できる（基部１の要素が突き出すならば、相手方型５における相応する要素はへこんだものであり、基部１の要素がへこんだものであれば、相手方型５における相応する要素は突き出すものである）。相手方型５の回りには、基部１を正確な位置に捕捉する固定用境界線手段８があり、基部１とその相手方型５との精密な結合を保証し、これと同時に、結合した後の上記の２つの部分の相反する動きあるいは相対的な動きに起因するであろう基部１のブレード２への損傷を回避することができる。上記基部の材料は、合金（例えば亜鉛又はアルミニウム合金）で出来ており、上記突き出す要素又はへこんだ要素４と基部１との間の接続は、キャスティング及び／又はプレス技術によってなされ、両者が一体化した構造とすることができる。相手方型の材料は、プラスチック（例えばＡＢＳ又はＰＰ）で出来たものとすることができる。上記相応するへこんだ要素又は突き出す要素７と相手方型５との間の接続は、押出し成形技術によってなされ、両者を一体化した構造とすることができる。
【００１２】
実施の形態：紙ピースをＰＰ板（又はＡＢＳ、ＰＭＭＡあるいはブレードに害を与えないその他のもの）の上に配置する。ブレード２を有する基部１を紙に当てがい、強く押す。基部１のブレード２は紙を裁断して、猿の外形の形状にする。このとき、紙はブレード２の内側に保持されたままである。次に、相手方型５を基部１のブレード２の表面に結合し、相手方型５と基部１との間に紙の像がある状態にする。相手方型５と基部１とを互いに向けて強く押し、最後に、相手方型５を基部１から分離させる。ブレードの内側の紙の像は、基部１の突き出す要素又はへこんだ要素４及び相手方型５の相応するへこんだ要素又は突き出す要素７によってプレスされる。これによって、猿の目、鼻及び口が表現される。その結果、猿の像のレリーフ状紙アートを得ることができる。
【図面の簡単な説明】
【００１３】
【図１】基部の構造を示す概略図である。
【図２】図１に示した基部に使用される相手方型の構造体の概略図である。
【図３】本発明によって形成された完成した製品を示す概略図である。
【図１】
2008517781.tif 000003
【図２】
2008517781.tif 000004
【図３】
2008517781.tif 000005
【国際調査報告】
2008517781.tif 000006
2008517781.tif 000007
2008517781.tif 000008
2008517781.tif 000009
2008517781.tif 000010
2008517781.tif 000011